(57)【要約】【課題】  あらゆる汚水、排水の水質浄化を最も効果的かつ安定、安全、安価に可能にする、優れた電気分子分離式水質浄化装置を提供する。さらに本装置にて製造する化学物質を一切含まないアルカリ性洗浄水を提供する。【解決手段】  浄化すべき水の浄化効果が最良となる電極板の設置位置、及び設置方法を見出すことにより、より効果的に安定した汚濁物質の除去を可能にし、また水のみを原料とするアルカリ性洗浄水を安価に大量に提供できることに成功した。【選択図】  図３
2005254221.tif 000002
【特許請求の範囲】
【請求項１】
本装置に取り付けた電極板にさまざまな浄化すべき水を通過させることにより、その水中の水分子の結合をとき、混入している汚濁物質を分離する電気分子分離式水質浄化装置において、その浄化効率が最良となる電極板の設備位置及び設置方法。
【請求項２】
本装置に工業用水を所定の流速で流すことにより、水中の水分子構造に電離を起こさせ、ピーエッチ（ｐＨ）８．５〜９のアルカリ性の洗浄水ができる。
【発明の詳細な説明】
【技術分野】
【０００１】  本発明は電極板に電圧を印加することにより分子分離を起こし、さまざまな浄化すべき水から汚濁物質を分離する電気分子分離式水質浄化装置に関する。【０００２】  本発明装置にて製造する添加物を一切含まないアルカリ性洗浄水に関する。
【背景技術】
【０００３】  水の浄化方法として現在は、ろ過、バクテリアによる汚濁物質の分解、凝集剤及び中和剤による沈殿が主流である。【０００４】  現行流通しているアルカリ性洗浄水は、水酸化ナトリウムなど添加物が混入されている上に高価であり、使用不可分野も多い。【０００５】  ろ過方式は、定期的なろ過部の取り換えが必須であり、バクテリアは生物であるため管理が困難である。また、凝集剤及び中和剤の混入による沈殿は多大な産業廃棄物を産出する。【０００６】  現在使用されているアルカリ性洗浄水には、１種類ないしは多数の添加物（主に化学物質）が混入されており、高価なため大量使用は困難である。また環境に対して悪影響を及ぼす。
【発明の開示】
【発明が解決しようとする課題】
【０００７】  しかし、電気分子分離を最良の効率で、かつ安定して起こすため電極板に対し水流をより効率的に流動させる事は非常に困難であった。そのため電極板の設置位置及び設置方法について詳細に検討し、考察及び実験の末、本願の発明者が最も効率が良く、かつ安定した分子分離が起こり得る電極板の位置設置方法を見出し最良の結果を得た。【０００８】  本発明の装置により製造するアルカリ性洗浄水は、添加物を一切含まないことにより空気に長時間さらされることによる酸化が問題であったため、安定したアルカリ性を保つよう保存容器に密閉性の高い物を使用する事により、問題を解決した。また３０日程の保存においては水分子の構造の電離状態によりピーエッチ（ｐＨ）８．５より酸化することがないことを実験により確認済みである。【０００９】  本発明は、上記課題を鑑みてなされたもので、その目的は電極板の設置位置及び設置方法を検討し最も効率良く安定した分子分離を起こす事を実現し、その結果、さまざまな水質浄化を可能にした電気分子分離式水質浄化装置を提供する事にある。【００１０】  本発明装置にて製造するアルカリ性洗浄水は、環境の汚染を減少させるべく安全、安価にさまざまな分野での清掃、洗浄に使用可能なアルカリ性洗浄水を提供することにある。
【課題を解決するための手段】
【００１１】  本発明の電気分子分離式水質浄化装置は、電極板の設置位置及び設置方法を最適にする事により、浄化するべき水中の汚濁物質をより効率良く安定した分子分離を起こさせ取り除くものである。【００１２】  本発明装置にて製造するアルカリ性洗浄水は、保存容器を密閉性の高い物にする事により、添加物を一切混入せず、さまざまな分野での使用が可能であり、尚かつ大量生産が出来る安価で安全な洗浄水であり、広く業務用として使用可能である。
【発明の効果】
【請求項１について】
【００１３】  本発明では、水質浄化の最適条件を得るため、さまざまな汚濁条件による比重、粘度の格差に対応すべく、効率良く安定した水分子の分離を起こさせるよう電極板の設置位置、設置方法を考慮し、本出願の発明者は電極板の設置位置及び設置方法において最良の知見を得た。その結果、従来の技術に比較し稼動経費の節減、及び保全経費の節減、水中に溶解している重金属、汚染物質などを凝集剤、中和剤不使用で浄化後の廃棄物質を大幅に減少し得る水質浄化が可能となった。
【請求項２について】
【００１４】  本発明装置にて製造するアルカリ性洗浄水は、油脂汚れに対し良好な結果を得ている。現状使用されている多くの洗剤成分は大多数が化学合成成分であるが、その成分を一切含まず原料は水のみであるため安全で環境汚染の減少にもつながり、かつ使用後のすすぎの必要もなく、洗浄作用は合成洗剤に近い洗浄作用、及び除菌消臭効果も有するアルカリ性洗浄水の開発に成功した。
【発明を実施するための最良の形態】
【００１５】  本発明を具体化した電気分離式水質浄化装置、及び当装置にて製造するアルカリ性洗浄水の各実施例について図１ないし図３に基づいて説明する。【００１６】  当装置にて浄化すべき水の分子状態を、図１〔Ａ〕に示す。１ａより１ｋが、水分子（Ｈ２Ｏ）であり２ａより２ｄが汚濁物質である。水の汚濁物質は、通常図１〔Ａ〕のように分子間に取り込まれており、また大きさや性質も異なる。【００１７】  図１〔Ｂ〕に示す通り、浄化すべき水に電圧を印加することにより、水分子（Ｈ２Ｏ）の分子の結合をとき、同時に汚濁物質も分離させる。【００１８】  図１〔Ａ〕から図１〔Ｂ〕に示すように、水分子（Ｈ２Ｏ）を電気分解ではなく安定した分子状態で電気分子分離を起こさせることにより、効果的に汚濁物質を取り除くことが可能となった。【００１９】  これは電気板の設置位置及び設置方法により、安定した水分子（Ｈ２Ｏ）の分離が可能になった結果である。安定した分子分離が得られない場合は、電気分解が起こり、そのため水は原子状態となる。非常に不安定な状況を示すので、一度分離した汚濁物質の再取り込みを起こし、水質浄化に支障をきたす。【００２０】  当装置は、電気分解ではなく電気分子分離を可能にし、水質浄化を効果的に行うものである。【００２１】  当装置にて製造するアルカリ性洗浄水は、水分子（Ｈ２Ｏ）に電圧を印加することにより、電離を起こさせ製造する。図２は電離を示したものである。【００２２】  通常水は図２〔Ａ〕に示す通り、１ａから１ｄの水分子（Ｈ２Ｏ）とその他２ａ、２ｂの混合物にて存在する。【００２３】  図２〔Ｂ〕に示す通り、電極板の取り付け位置と方法により、水に電圧を印加することで電気分解ではなく、電離を起こさせる。３ａから３ｄは水素原子（Ｈ）である。４ａから４ｄは水素原子（Ｈ）を電離状態で引き離すことにより形成される水酸化物イオン（ＯＨ）である。水分子（Ｈ２Ｏ）より水素原子（Ｈ）を１原子のみ引き離す電離状態を安定かつ効果的に起こすことにより、水は化学物質を混入することなく水酸化物イオン（ＯＨ）を生じることにより、ピーエッチ（ｐＨ）８．５〜９のアルカリ性を示す。【００２４】  そのため、水酸化物イオン（ＯＨ）を多く含む水は半不安定状態になり、効果的に油脂汚れ等を吸着する性質を示し、アルカリ性を保つことにより、除菌、消臭、さらに防カビ効果も併せ持つアルカリ性洗浄水となる。
【実施例】
【００２５】  水分子（Ｈ２Ｏ）に対して電圧を印加することにより、最も効果的、かつ安定した分子分離、電離を起こさせるための電極板の設置位置、及び方法について、図３に示す。【００２６】  水槽内に６ａから６ｄの仕切り板を上下交互に取り付け、７ａから７ｃの電極板を全て上部より吊り下げる状態で設置する。図３の矢印のように浄化すべき水５が流動することにより、吊り下げられた電極板から電圧が最も効果的に安定して印加される。【００２７】  また、吊り下げ部分の８ａから８ｃの陰電極を絶縁物質で包むことにより分離され浮上した汚濁物質９による再汚濁を防止するため、より効果的な浄化を可能にしている。
【産業上の利用可能性】
【００２８】  上記のように最も効果的にあらゆる汚水中の汚濁物質を安価に、また安全に除去することに成功したことにより、様々な工業排水、また汚水処理等に対応できうるものである。【００２９】  また当装置によって製造するアルカリ性洗浄水は、化学物質を一切含まず、安全、安価であり、河川、海上、また土壌等の環境汚染をも減少させることが可能である。
【図面の簡単な説明】
【００３０】
【図１】洗浄すべき水の分子構造を示した図である。
【図２】アルカリ性洗浄水の製造過程で起きている水の電離を示した図である。
【図３】当装置の電極板の取り付け位置方法を示した図である。
【符号の説明】
【００３１】  ［図１〔Ａ〕〔Ｂ〕］  １ａから１ｋ  水分子（Ｈ２Ｏ）  ２ａから２ｄ  汚濁物質  ［図２〔Ｂ〕］  ３ａから３ｄ  水素原子（Ｈ）  ４ａから４ｄ  水酸化物イオン（ＯＨ）  ［図３］  ５  ６ａから６ｄ  水槽の仕切り板  ７ａから７ｃ  電極板  ８ａから８ｃ  陰電極  ９  汚濁物質  １０ａから１０ｃ  陽電極
【図１】
2005254221.tif 000003
【図２】
2005254221.tif 000004
【図３】
2005254221.tif 000005